(57)【要約】  複数の画像を複数の表示方向に同時に表示可能な液晶表示装置（１）であって、画像表示面に対して左右の斜め方向である第１および第２方向としたとき、第１方向に第１画像が、第２方向に第２画像が表示され、第２方向に表示された第２画像を第１方向に反射する反射板（４０）と、第１方向に位置するユーザを撮像するカメラ（５０）とを備え、カメラ（５０）により撮像された画像に基づいて第１および第２画像を生成して表示する。
2012124612.tif 000002
【特許請求の範囲】
【請求項１】
複数の画像を複数の表示方向に同時に表示することができる表示装置であって、
画像表示面に対して左右の斜め方向をそれぞれ第１方向および第２方向としたとき、該第１方向に第１画像が表示され、該第２方向に第２画像が表示され、
上記第２方向に表示された上記第２画像を上記第１方向に反射する反射手段と、
上記第１方向に位置する撮像対象物を撮像する撮像手段とを備え、
上記撮像手段により撮像された撮像画像に基づいて、上記第１画像および上記第２画像を生成して表示することを特徴とする表示装置。
【請求項２】
上記第１画像および上記第２画像のうちの一方は、上記撮像手段により撮像された撮像画像に対応しており、
上記第１画像および上記第２画像のうちの他方は、上記撮像画像の少なくとも一部を加工した加工画像に対応していることを特徴とする請求項１に記載の表示装置。
【請求項３】
上記第１画像および上記第２画像のうちの他方は、複数の上記加工画像を含み、
上記複数の加工画像は、互いに異なっていることを特徴とする請求項２に記載の表示装置。
【請求項４】
上記加工画像は、上記撮像画像の一部の色彩が変更されていることを特徴とする請求項２に記載の表示装置。
【請求項５】
上記撮像対象物は、上記第１方向に位置する、当該表示装置のユーザであって、
上記ユーザの実際の姿を撮像した撮像画像を、上記第２画像として、上記反射手段により上記第１方向に表示するとともに、
上記ユーザの撮像画像の一部を加工した加工画像を、上記第１画像として上記第１方向に表示することを特徴とする請求項１に記載の表示装置。
【請求項６】
上記加工画像は、上記ユーザの指示に応じて加工されることを特徴とする請求項５に記載の表示装置。
【請求項７】
上記ユーザの指示を受け付ける操作手段と、
上記ユーザの指示に基づいて、上記撮像手段により撮像された撮像画像を加工して上記加工画像を生成する画像生成手段とを備え、
上記撮像画像および上記加工画像を、上記第１画像および上記第２画像として同時に表示させることを特徴とする請求項５に記載の表示装置。
【請求項８】
上記加工画像は、上記ユーザの体型を０〜１０％の範囲で補正したものであることを特徴とする請求項５に記載の表示装置。
【請求項９】
上記加工画像は、上記ユーザの背景を加工したものであることを特徴とする請求項５に記載の表示装置。
【請求項１０】
上記加工画像は、上記ユーザの実際の姿を撮像した撮像画像に、他の画像を合成して生成されたものであり、
上記他の画像は、予め当該表示装置のメモリ部に格納されていることを特徴とする請求項５に記載の表示装置。
【請求項１１】
上記撮像画像に基づいて、上記撮像画像における加工する部分を特定する画像処理手段と、
上記画像処理手段により特定された部分を加工して上記加工画像を生成する画像生成手段とを備え、
上記撮像画像および上記加工画像を、上記第１画像および上記第２画像として同時に表示させることを特徴とする請求項５に記載の表示装置。
【請求項１２】
上記第１画像および上記第２画像は、それぞれ、上記撮像手段により撮像された撮像画像の少なくとも一部を加工した加工画像に対応しているとともに、
上記第１画像および上記第２画像は互いに異なる画像であることを特徴とする請求項１に記載の表示装置。
【請求項１３】
上記反射手段は、当該表示装置に回転可能に接続されていることを特徴とする請求項１に記載の表示装置。
【請求項１４】
上記反射手段は、さらに、光を透過する機能を有することを特徴とする請求項１に記載の表示装置。
【発明の詳細な説明】
【技術分野】
【０００１】
本発明は、同一の表示画面から、複数の画像を複数の表示方向に同時に表示することができる表示装置に関するものである。
【背景技術】
【０００２】
液晶表示装置等の従来の表示装置では、表示パネルに対してどの視認方向から見ても同一の画像が観察されるシングルビュー表示モードが一般的である。近年、このシングルビュー表示モードに加えて、表示パネルに対して異なる視認方向から観察を行った場合、それぞれの視認方向に対して異なる画像を観察可能とする表示装置が提案されている。【０００３】
特許文献１には、表示パネルに対して左方向から見た場合と右方向から見た場合とで異なる画像を観察可能とするデュアルビュー表示モード技術が開示されている。特許文献１におけるデュアルビュー表示の原理を、図２３を参照して説明する。【０００４】
図２３に示す表示装置１００は、表示パネル１０１の前面側（表示面側）に視差バリア（パララックスバリア）１０２が設けられ、表示パネル１０１の背面側にバックライト１０３が設けられている。表示パネル１０１には、第１画像を表示する画素１０１Ｌと、第２画像を表示する画素１０１Ｒとが交互に並んで配されている。【０００５】
バックライト１０３から出射され、表示パネル１０１を通過する光は、視差バリア１０２によって特定の視野角を与えられ、左方向および右方向の少なくともいずれか一方向に出力される。例えば、図２３の構成では、画素１０１Ｌを透過する光は液晶パネル１０１から見て右側（第１方向）へ出射され、画素１０１Ｒ（ハッチングで示す部分）を透過する光は液晶パネル１０１から見て左側（第２方向）へ出射される。これにより、画素１０１Ｌでは第１画像の表示を行い、画素１０１Ｒでは第２画像の表示を行うことができる。そして、表示パネル１０１に対して異なる視認方向から観察を行った場合に、それぞれの視認方向において、互いに異なる画像を観察することができる。【０００６】
また、デュアルビュー表示を行う表示装置において、さらに反射手段を備えることによって、同一方向から複数の画像を視認できる技術が提案されている（例えば、特許文献２）。特許文献２のデュアルビュー表示について、図２４を参照して説明する。【０００７】
図２４に示す表示装置２００は、反射板２１０を備えており、異なる画像である第１画像と第２画像とを、各々異なる方向である第１方向と第２方向とに表示する。第２方向は、反射板２１０に向かう表示方向であって、観察者は、直接視認できる第１画像と、反射板２１０に反射されて視認できる第２画像とを同時に観察することができる。
【先行技術文献】
【特許文献】
【０００８】
【特許文献１】日本国公開特許公報「特開２００５−７３０７６号（２００５年３月１７日公開）」
【特許文献２】日本国公開特許公報「特開２００５−８４２９９号（２００５年３月３１日公開）」
【発明の概要】
【発明が解決しようとする課題】
【０００９】
上記のように、反射手段を備えた従来のデュアルビュー表示の表示装置では、同時に異なる画像を視認できるという利点がある。しかし、従来の上記表示装置では、表示される画像は映像製作者側が一方的に提供するものであるため、テレビ、携帯電話機、カーナビゲーションシステムなどの利用に限定されている。【００１０】
そこで、本発明では、複数の画像を複数の表示方向に同時に表示することができる表示装置の用途を拡大し得る構成を提案する。
【課題を解決するための手段】
【００１１】
本発明に係る表示装置は、上記の課題を解決するために、
複数の画像を複数の表示方向に同時に表示することができる表示装置であって、
画像表示面に対して左右の斜め方向をそれぞれ第１方向および第２方向としたとき、該第１方向に第１画像が表示され、該第２方向に第２画像が表示され、
上記第２方向に表示された上記第２画像を上記第１方向に反射する反射手段と、
上記第１方向に位置する撮像対象物を撮像する撮像手段とを備え、
上記撮像手段により撮像された撮像画像に基づいて、上記第１画像および上記第２画像を生成して表示することを特徴とする。【００１２】
上記表示装置を例えば店舗の試着室に適用した場合、試着室を利用するユーザ（撮像対象物）は、ある商品を試着した姿を撮像した画像と、これに基づいて生成された、試着している商品とは異なる商品を試着した仮想の姿の画像とを同時に視認することができる。そのため、ユーザは、試着することなく別の商品を確認することができる。【００１３】
このように、上記表示装置によれば、例えば試着室や美容院などに適用することができる。
【発明の効果】
【００１４】
以上のように、本発明に係る表示装置では、画像表示面に対して左右の斜め方向をそれぞれ第１方向および第２方向としたとき、該第１方向に第１画像が表示され、該第２方向に第２画像が表示され、上記第２方向に表示された上記第２画像を上記第１方向に反射する反射手段と、上記第１方向に位置する撮像対象物を撮像する撮像手段とを備え、上記撮像手段により撮像された撮像画像に基づいて、上記第１画像および上記第２画像を生成して表示する構成である。これにより、複数の画像を複数の表示方向に同時に表示することができる表示装置の用途を拡大することができる。
【図面の簡単な説明】
【００１５】
【図１】本実施の形態に係る液晶表示装置の概略構成を示すブロック図である。
【図２】本実施の形態に係る液晶表示装置の概略構成を示す断面図である。
【図３】（ａ）および（ｂ）は、本実施の形態に係る液晶表示装置において、デュアルビュー表示を行った場合の画面表示を模式的に示す図である。
【図４】本実施の形態に係る液晶表示装置の概略構成を示す図である。
【図５】（ａ）および（ｂ）は本実施の形態に係る液晶表示装置の閉状態を示す図であり、（ｃ）および（ｄ）は本実施の形態に係る液晶表示装置の開状態を示す図である。
【図６】本実施の形態に係る液晶表示装置において、デュアルビュー表示を行った場合の画面表示を示す斜視図である。
【図７】本実施の形態に係る液晶表示装置の反射板の構成を示す図である。
【図８】変形例１に係る液晶表示装置において、デュアルビュー表示を行った場合の画面表示を示す斜視図である。
【図９】変形例２に係る液晶表示装置において、デュアルビュー表示を行った場合の画面表示を示す斜視図である。
【図１０】変形例３に係る液晶表示装置において、デュアルビュー表示を行った場合の画面表示を示す斜視図である。
【図１１】変形例４に係る液晶表示装置において、デュアルビュー表示を行った場合の画面表示を示す斜視図である。
【図１２】変形例５に係る液晶表示装置の他の概略構成を示すブロック図である。
【図１３】図１２に示す液晶表示装置において、デュアルビュー表示を行った場合の画面表示を示す斜視図である。
【図１４】図１２に示す液晶表示装置において、デュアルビュー表示を行った場合の他の画面表示を示す斜視図である。
【図１５】（ａ）および（ｂ）は、本実施の形態に係る液晶表示装置における、視差バリアと表示パネルとの配置関係を示す図である。
【図１６】（ａ）および（ｂ）は、本実施の形態に係る液晶表示装置における視認領域を模式的に示す図である。
【図１７】本実施の形態に係る液晶表示装置において、オフセット＝０ｕｍの場合における、オフセットと視認領域との関係についてシミュレーションした結果を示すグラフである。
【図１８】（ａ）は、本実施の形態に係る液晶表示装置において、オフセット＝＋５０ｕｍの場合における、オフセットと視認領域との関係についてシミュレーションした結果を示すグラフであり、（ｂ）は、オフセット＝＋１００ｕｍの場合における、オフセットと視認領域との関係についてシミュレーションした結果を示すグラフである。
【図１９】（ａ）は、本実施の形態に係る液晶表示装置において、オフセット＝−５０ｕｍの場合における、オフセットと視認領域との関係についてシミュレーションした結果を示すグラフであり、（ｂ）は、オフセット＝−１００ｕｍの場合における、オフセットと視認領域との関係についてシミュレーションした結果を示すグラフである。
【図２０】本実施の形態に係る液晶表示装置において、オフセット＝０ｕｍの場合における、オフセットと視認領域との関係についてシミュレーションした結果を示すグラフである。
【図２１】（ａ）は、本実施の形態に係る液晶表示装置において、オフセット＝−５０ｕｍの場合における、オフセットと視認領域との関係についてシミュレーションした結果を示すグラフであり、（ｂ）は、オフセット＝−７５ｕｍの場合における、オフセットと視認領域との関係についてシミュレーションした結果を示すグラフである。
【図２２】本実施の形態に係る液晶表示装置において、オフセット＝−１００ｕｍの場合における、オフセットと視認領域との関係についてシミュレーションした結果を示すグラフである。
【図２３】特許文献１の液晶表示装置の概略構成を示す図である。
【図２４】特許文献２の液晶表示装置の概略構成を示す図である。
【発明を実施するための形態】
【００１６】
本発明の一実施の形態について図面に基づいて説明すると以下の通りである。
【００１７】
本液晶表示装置１は、複数の画像を複数の表示方向に同時に表示する機能（マルチビュー表示機能）を有する。以下では、２つの画像を、互いに異なる２つの方向に同時に表示するデュアルビュー方式の液晶表示装置について説明する。また、本液晶表示装置１を店舗等の試着室に適用した場合を例に挙げて説明する。
【００１８】
本液晶表示装置１は、概略的には、試着室を使用するユーザ（撮像対象物）がある商品（例えば、セーター）を試着した場合に、試着したユーザの姿の画像（撮像画像）と、試着しているセーターとはサイズあるいは色彩等が異なるセーターを試着したと仮定した場合の姿（仮想の姿）の画像（加工画像）とを、ユーザの位置する方向に、同時に表示するものである。これにより、ユーザは、試着の手間を省きつつ、複数種類の試着画像を見比べることができる。
【００１９】
以下では、上記機能を実現するための液晶表示装置１の具体的な構成について説明する。図１は、本実施の形態に係る液晶表示装置の概略構成を示すブロック図であり、図２は、液晶表示装置１の概略構成を示す断面図である。液晶表示装置１（表示装置）は、表示パネル１０と、視差バリア２０と、バックライト３０と、反射板４０（反射手段）と、カメラ５０（撮像手段）と、操作部６０（操作手段）と、画像制御部７０と、メモリ部８０と、各種駆動回路（データ信号線駆動回路、走査信号線駆動回路等；図示せず）と、表示制御回路（図示せず）とを備えている。
【００２０】
カメラ５０は、表示パネル１０および反射板４０の前方を撮像する撮像手段であり、例えば、ＣＣＤカメラ等である。ここでは、カメラ５０は、表示パネル１０および反射板４０の接続部の上端あるいは中段に設けられ、試着室を利用するユーザを撮像する。カメラ５０で撮像された画像データ（撮像データ）は、画像制御部７０に転送される。なお、カメラ５０は、液晶表示装置１に１つ設けられていても良いし、２つ以上設けられていても良い。
【００２１】
操作部６０は、画像操作部とカメラ操作部（何れも図示せず）とを備え、ユーザの操作を受け付ける。画像操作部は、ユーザが商品を選択するための操作端末である。具体的には例えば、操作部６０の操作画面に全商品を表示させ、その中からユーザが希望の商品を選択する構成や、ユーザが試着している商品について、色彩だけを選択する構成とすることができる。カメラ操作部は、カメラ５０の動作を操作する端末であり、具体的には、ユーザがカメラ操作部の撮影ボタンを押下することにより、ユーザの姿を撮影する。なお、操作部６０は、表示パネル１０に操作画面として表示される構成としてもよく、また、リモートコントローラで構成されていてもよい。操作部６０をリモートコントローラで構成する場合は、液晶表示装置１には受光部が設けられる。
【００２２】
ここで、操作部６０は、ユーザ（客）以外の、店舗のスタッフなど第三者が操作することもできる。具体的には例えば、店舗のスタッフが、客の要望を聞きながら操作部６０（画像操作部およびカメラ操作部）を操作することもできる。以下では、ユーザ（客）が操作部６０を操作する場合を例に挙げて説明する。
【００２３】
画像制御部７０は、画像取得部７１と、画像処理部７２（画像処理手段）と、画像合成部７３と、画像生成部７４（画像生成手段）と、受信処理部７５とを備え、カメラ５０が撮像した撮像データに対して各種の画像処理を行う。
【００２４】
画像取得部７１は、カメラ５０が撮像した撮像データを取得する。ここでは、画像取得部７１は、ある商品（例えばグレー色のセーター）を試着したユーザの撮像データを取得する。
【００２５】
画像処理部７２は、画像取得部７１から転送された撮像データに基づいて、ユーザの操作に応じた補正処理を行う。具体的には、画像処理部７２は、カメラ５０で撮像したユーザの姿を実際の姿とは異なるように補正する。例えば、実際には髪が長い場合に、髪を短く補正したり、体型を実際の姿よりも細く見えるように補正したり、実際にはスニーカーを履いている場合に、ロングブーツを履いた状態に補正する。このような処理を行うことにより、ユーザに対して多くの仮想画像を提供できるため、購買意欲を高めることができる。なお、上記の処理を行うために、操作部６０は、撮像データの補正を指示するための操作画面（図示せず）を備えていることが好ましい。また、ユーザの自然な姿が損なわれないように、例えば、体型についての補正可能な範囲を０〜１０％にするなど予め設定しておいてもよい。
【００２６】
画像処理部７２により補正された撮像データ（補正データ）は、画像合成部７３および画像生成部７４に転送される。なお、ユーザが補正指示を行わない場合は、画像取得部７１から転送された撮像データが、画像合成部７３および画像生成部７４に転送される。
【００２７】
受信処理部７５は、操作部６０を介してユーザの指示を受信し、指示内容に基づいて処理を実行する。具体的には、受信処理部７５は、ユーザが選択した商品の画像データを、メモリ部８０から取得して画像合成部７３に転送する処理や、ユーザの撮像データに対する補正指示を画像処理部７２に転送する処理を行う。
【００２８】
画像合成部７３は、画像処理部７２から取得した処理データ（補正データあるいは撮像データ）と、受信処理部７５から取得した画像データとに基づいて、ユーザの仮想の姿に対応する合成データ（加工画像）を生成する。具体的には、グレー色のセーターを試着しているユーザの画像（撮像データ）に基づいて、黒色のセーターを試着しているユーザの画像（合成データ）を生成する。なお、画像合成部７３は、画像処理部７２から取得した処理データにおいて、ユーザの背景を他の映像に変更してもよい。例えば、ユーザの仮想の姿がはっきり見えるように背景を淡色にすることができる。なお、背景の画像データは、メモリ部８０に予め格納しておけばよい。
【００２９】
画像生成部７４は、画像処理部７２から取得した処理データ（補正データあるいは撮像データ）と、画像合成部７３から取得した合成データとに基づいて、デュアルビュー表示用の画像データ（右用画像データ、左用画像データ）を生成する。具体的には例えば、合成データを左用画像データ（第１画像データ）とし、撮像データを右用画像データ（第２画像データ）とする。なお、合成データを右用画像データとし、撮像データを左用画像データとしてもよい。画像生成部７４により生成された画像データは、表示制御回路（図示せず）を介して表示パネル１０に転送される。
【００３０】
表示パネル１０は、周知の構成を採用することができる。例えば、表示パネル１０は、ガラス等からなる絶縁性を有するアクティブマトリクス基板と、このアクティブマトリクス基板に対して所定の間隔で対向するガラス等からなる光透過性を有する対向基板と、アクティブマトリクス基板と対向基板との間に挟持された液晶層とにより構成される。液晶層としては、種々のタイプの液晶層を用いることができる。
【００３１】
表示パネル１０には、列方向に延伸するデータ信号線、行方向に延伸する走査信号線および容量配線、行および列方向に並べられた画素が設けられている。各種信号線はアクティブマトリクス基板に設けられている。
【００３２】
各画素の構造は同一の構成であり、１つの画素に対応して、少なくとも１つの画素電極が設けられ、データ信号線と走査信号線と容量配線とがそれぞれ１本ずつ設けられている。各画素では、アクティブマトリクス基板において、画素電極が、走査信号線に接続されたトランジスタ（ＴＦＴ）を介してデータ信号線に接続されており、対向基板に設けられた対向電極との間に液晶容量が形成されている。
【００３３】
各画素に設けられたトランジスタは、ドレイン電極が画素電極に接続され、ソース電極がデータ信号線に接続され、ゲート電極が走査信号線に接続されている。これにより、トランジスタは、走査信号線から供給される走査信号（ゲート信号）によってオン／オフ制御され、データ信号線に供給されるデータ信号に応じた電圧が液晶層に印加され、トランジスタがオフ時に、該電圧が保持される構成となっている。
【００３４】
表示制御回路は、タイミングコントローラ（図示せず）から供給されるタイミング制御信号に基づいて画像表示タイミングを検知して、画像生成部７４から入力された画像データ（第１画像データ、第２画像データ）、および、外部から入力された同期信号に基づいて、表示パネル１０に画像を表示するための表示制御信号を生成する。そして、生成した表示制御信号を各種駆動回路に供給して各種駆動回路の動作を制御する。
【００３５】
走査信号線駆動回路は、表示制御回路から出力される表示制御信号に基づいて、走査信号（ゲート信号）を、各走査信号線に順次供給する。これにより、走査信号が供給された走査信号線に接続されたトランジスタがオン状態になる。
【００３６】
データ信号線駆動回路は、表示制御信号に基づいて、画像データに応じたデータ信号をデータ信号線に供給する。これにより、オン状態になっているトランジスタを介して液晶層にデータ信号に応じた電圧が印加されて画像情報が書き込まれる。
【００３７】
バックライト３０は、表示パネル１０の背面側に配置され、表示パネル１０に対して表示光を入射する。なお、バックライト３０は、液晶表示装置１に含まれるものであってもよく、あるいは、液晶表示装置１に対して外付けされるものであってもよい。
【００３８】
視差バリア２０は、図２に示すように、表示パネル１０の前面側（ユーザに近い側）に、視差バリア２０の表面と表示パネル１０の表示面とが互いに平行になるように、樹脂材料により貼り合わされている。視差バリア２０は、表示パネル１０から出力される表示画像（第１画像、第２画像）を通過させる開口部２１と、該表示画像を遮断する閉口部２２とを備えている。開口部２１および閉口部２２は、表示パネル１０の画素に対応して、交互に並んで形成されている。
【００３９】
バックライト３０は、表示パネル１０の背面側に配置され、表示パネル１０に対して表示光を入射する。なお、バックライト３０は、液晶表示装置１に含まれるものであってもよく、あるいは、液晶表示装置１に対して外付けされるものであってもよい。
【００４０】
反射板４０は、表示パネル１０の一端（図１では表示パネル１０に向かって右端）に回転可能に取り付けられ、入射された画像を反射する機能を有している。反射板４０の具体的な構成については後述する。
【００４１】
続いて、液晶表示装置１におけるデュアルビュー表示の表示原理について説明する。なお、以下では便宜上、反射板４０を省略して説明する。液晶表示装置１は、複数の画像を複数の表示方向に同時に表示する機能を有するものであればデュアルビュー方式の液晶表示装置に限定されるものではなく、マルチビュー表示方式の液晶表示装置であっても良い。また、デュアルビュー方式またはマルチビュー表示方式は、液晶表示装置以外でも実現可能であるため、例えば有機ＥＬパネルやＣＲＴ等を用いることもできる。以下では、図３の（ａ）および（ｂ）に示すデュアルビュー表示について具体的に説明する。さらに、デュアルビュー表示およびマルチビュー表示は、視差バリア方式やレンチキュラー方式など周知の技術を採用することができる。以下では、視差バリア方式を例に挙げて説明する。
【００４２】
図３の（ａ）および（ｂ）は、液晶表示装置１の画面表示を説明するための模式図である。液晶表示装置１は、図３の（ａ）に示すように、液晶表示装置１から第１方向に向けて第１画像を表示すると同時に、液晶表示装置１から第１方向とは異なる第２方向に向けて第１画像とは異なる第２画像を表示する機能、つまり、互いに異なる方向へ、互いに異なる２つの画像を同時に表示する機能を有する。
【００４３】
上記「第１方向」および「第２方向」は、それぞれ、液晶表示装置１の表示方向を表す。また、ここでは、説明の便宜上、液晶表示装置１（表示パネル１０）から見て右斜め前方の方向を第１方向、液晶表示装置１（表示パネル１０）から見て左斜め前方の方向を第２方向とする。また、ここでは、第１方向に対する画像を第１画像、第２方向に対する画像を第２画像と称する。さらに、「正面方向」とは、第１方向と第２方向との中間の方向を表す。すなわち、「正面方向」とは、液晶表示装置１の２つの表示方向の間の方向ということもできる。また、正面方向に対する画像を正面画像と称する。
【００４４】
また、液晶表示装置１が備える表示制御回路（図示せず）により、画像を単画面表示処理すれば、液晶表示装置１は、図３の（ｂ）に示すように、第１方向、第２方向、および正面方向の、いずれの方向からも同一の画像を視認可能であるように表示させることもできる。本明細書において、この表示を単画面表示と称する。
【００４５】
ここで、液晶表示装置１の構造について、より詳細に説明する。液晶表示装置１は、上述したように、バックライト３０と、表示パネル１０と、視差バリア２０とがこの順に重ね合わされた構造を有している（図２参照）。バックライト３０は、照明装置であり、表示パネル１０に対して光を照射する。表示パネル１０は、バックライト３０からの光を透過・遮光させることで、画像を作り出す。視差バリア２０は、表示パネル１０により作り出された画像に、視野角特性を与える。なお、表示パネル１０には、カラーフィルタ（図示しない）を設け、カラー表示が可能な構成としてもよい。
【００４６】
表示パネル１０は、図２に示すように、第１画像を表示する第１画像表示領域１０Ｌと、第２画像を表示する第２画像表示領域１０Ｒとが、交互に並んで短冊状（ストライプ状）に構成されている。第１画像表示領域１０Ｌおよび第２画像表示領域１０Ｒは、それぞれ１つの画素（第１画素および第２画素）に対応する。また、視差バリア２０は、表示パネル１０の表示画像（第１画像、第２画像）を通過させる開口部２１と、表示パネル１０の表示画像を遮断する閉口部２２とが、交互に並んで形成されている。
【００４７】
このような構造を有する表示パネル１０と視差バリア２０とを重ね合わせることによって、第１画像表示領域１０Ｌに表示された第１画像は、開口部２１を通過して、第１方向に位置する観察者（ユーザ）から視認される。一方、第２画像表示領域１０Ｒに表示された第２画像は閉口部２２に遮断されるので、第１方向に位置する観察者からは視認されない。
【００４８】
また、第２画像表示領域１０Ｒに表示された第２画像は、開口部２１を通過して、第２方向に位置する観察者から視認される。一方、第１画像表示領域１０Ｌに表示された第１画像は閉口部２２に遮断されるので、第２方向に位置する観察者からは視認されない。
【００４９】
このようにして液晶表示装置１は、第１方向と第２方向とのそれぞれに、第１画像と第２画像とを同時に表示することが可能となる。
【００５０】
次に、反射板４０を備えた液晶表示装置１について説明する。
【００５１】
反射板４０は、図４に示すように、表示パネル１０の一端に回転可能に取り付けられている。この構成によれば、反射板４０は、表示パネル１０の表示画面に対する相対的な位置を移動することができる。具体的には、表示パネル１０の何れかの方向に表示される画像を反射する反射位置（図５の（ｄ））と、表示パネル１０の表示画面を覆う被覆位置（図５の（ｂ））との少なくとも２種類の位置に移動することができる。また、反射板４０は、表示パネル１０の右端または左端に選択的に切り替えて固定できる構成としても良い。この構成によれば、液晶表示装置１の使用状態に応じて、第１方向を視認方向（観察者側）にする場合と、第２方向を視認方向（観察者）にする場合とを、相互に切り替えることができる。なお、説明の便宜上、反射板４０が上記反射位置にある状態を「開状態」、上記被覆位置にある状態を「閉状態」と称する。
【００５２】
反射板４０は、表示パネル１０から出力される画像を透過させる機能を有していてもよい（後述）。これにより、図５の（ａ）および（ｂ）に示すように、液晶表示装置１は、閉状態では、画像が反射板４０を透過するため、上述のように、異なる方向から異なる画像を視認すること（マルチビュー表示）ができる。
【００５３】
一方、液晶表示装置１が開状態のときは、反射板４０は、表示パネル１０から第２方向に出力された画像を第１方向に反射する。これにより、図５の（ｃ）および（ｄ）に示すように、反射板４０で反射された反射画像（第２画像）と、表示パネル１０から直接、視認方向（第１方向）に表示される非反射画像（第１画像）とを、同一方向（液晶表示装置１から見て右斜め前方；第１方向）から同時に視認することができる。具体例を挙げると、図６に示すように、試着室を使用するユーザがある商品（例えば、グレー色のセーター）を試着した場合に、液晶表示装置１では、試着しているユーザの姿を第２画像としてユーザが位置する方向（第１方向）に表示するとともに、試着している商品とは異なる商品（例えば、黒色のセーター）を試着した仮想の姿を第１画像として第１方向に表示する。これにより、第１方向に位置するユーザは、実際に商品を試着している画像と、別の商品を試着している画像とを、同時に視認することができる。なお、反射板４０が表示パネル１０の左端に取り付けられている場合には、反射板４０で反射された反射画像（第１画像）と、表示パネル１０から直接、視認方向に表示される非反射画像（第２画像）とを、同一方向（液晶表示装置１の斜め前方；第２方向）から同時に視認することができる。
【００５４】
なお、図５の（ａ）および（ｃ）は、液晶表示装置１を斜め前方から見た図であり、図５の（ｂ）および（ｄ）は、液晶表示装置１を上から見た図である。また、図５の（ａ）〜（ｄ）において、矢印は、表示パネル１０による表示画像の表示方向を示している。
【００５５】
ここで、表示パネル１０および反射板４０について、より詳しく説明する。
【００５６】
まず、反射板４０について、図７を用いて説明する。反射板４０は、反射機能のみを有する鏡であってもよいし、反射機能及び透過機能を有するハーフミラーであってもよい。以下では、ハーフミラー型の反射板４０について説明する。反射板４０は、斜め方向からの光に対して、その光を反射させることが可能であって、かつ、垂直方向からの光に対して、その光を透過させることが可能である。より具体的には、反射板４０が反射位置（開状態）にあるときには、表示パネル１０からの画像を表示方向とは異なる方向に反射することができる。一方、反射板４０が被覆位置（閉状態）にあるときには、表示パネル１０からの、表示方向の異なる全ての画像を透過させることができる。
【００５７】
反射板４０は、例えば、図７に示すように、アクリル板４１、ハーフミラーフィルム４２、アクリル板４３によって構成される。反射板４０は、アクリル板４１およびアクリル板４２によってハーフミラーフィルム４２を前後から挟み込む構造を有している。
【００５８】
ハーフミラーフィルム４２を前後から挟み込むために用いる材料は、特にアクリル板に限定されるものではないが、安全性、軽量性から考えると合成樹脂であることが好ましい。
【００５９】
ハーフミラーフィルム４２の透過率および反射率は、表示装置における画像の反射と透過とのバランスを考慮して、適宜設定することが好ましい。例えば、液晶表示装置１において、反射板４０を透過した画像および反射板４０により反射された画像を視認でき、かつ、反射板４０による反射画像と反射板４０の裏面方向の景色とが重なって視認されることを防ぎたい場合、ハーフミラーフィルム４２として、透過率よりも反射率のほうが大きいハーフミラーフィルムを用いることで、所望の効果を得ることができる。このような場合、例えば、ハーフミラーフィルム４２として透過率１６％および反射率７０％のハーフミラーフィルムを用いればよい。また、反射板４０により反射された画像よりも、反射板４０を透過した画像を視認することを重視する場合、より透過率の高いものを用いてもよい。逆に、反射板４０を透過した画像よりも、反射板４０により反射された画像を視認することを重視する場合、より反射率の高いものを用いてもよい。
【００６０】
また、ハーフミラーフィルム４２の裏面側は、反射板４０を閉じた状態において、外光の映り込みを減少させるために、反射率を低く抑えたものを用いてもよい。または、反射防止フィルムを貼る等して、外光の映り込みを減少させてもよい。さらに、反射板４０には、コントラストを向上させたり、ちらつきを軽減させたりする機能を付与してもよい。
【００６１】
なお、「透過率」とは、垂直方向から入射した光（光量）に対して、透過した光（光量）の割合であり、以下の式で定義されるものである。
【００６２】
（透過率）＝（透過光）／（入射光）
また、「反射率」は、垂直方向から入射した光（光量）に対して、反射した光（光量）の割合であり、以下の式で定義されるものである。
【００６３】
（反射率）＝（反射光）／（入射光）
また、ハーフミラーフィルム４２のその他の光学特性は、特に限定されるものではなく、例えば、紫外線カット機能を持つものなど、用途に応じてさまざまな性質を有するものを適宜選択して用いることができる。
【００６４】
本実施の形態では、反射板４０は、表示パネル１０に対して相対的に移動できるように、ヒンジ部材等を介して、表示パネル１０に接続されている。これにより、反射板４０を、表示パネル１０からの画像を表示方向とは異なる方向に反射する反射位置（開状態）と、表示パネル１０の表示画面を覆う被覆位置（閉状態）とに回転移動させることができる。さらに、反射板４０による画像の反射方向を複数設定することもできる。例えば、反射画像の反射方向と非反射画像の表示方向とを一致させる統一反射位置と、その他の反射位置とを設定することができる。反射位置として、統一反射位置を設定すれば、反射画像および非反射画像を１つの統一画像として視認することが可能となる。
【００６５】
ここで、１つの画像の左半分（左用画像）を第１方向に表示させ、右半分（右用画像）を第２方向に表示させた場合、右用画像が反射板４０により第１方向に反射されるため、第１方向から、右用画像と左用画像が合体した１つの画像として視認することもできる。このような液晶表示装置は、反射板４０により反射する右用画像について、表示制御回路において、画像データを鏡像反転処理することにより実現可能である。
【００６６】
（変形例１）
本実施の形態では、図４に示すように、反射板４０と表示パネル１０とが重なり合う面の面積は、反射板４０と表示パネル１０とでほぼ同じである。しかし、本発明はこれに限定されるものではなく、用途によってさまざまな面積のものを組み合わせて用いることもできる。
【００６７】
例えば、図８に示すように、表示パネル１０が、ユーザの視認方向（第１方向）に、実際に商品（グレー色のセーター）を試着している姿の画像を第１画像として表示するとともに、別の商品（黒色のセーター）を試着している仮想の姿の画像（第２画像）を縮小して第２画像として表示することも可能である。これにより、実際の試着画像を妨げることなく、縮小表示した仮想の試着画像を同時に視認することが可能となる。このように、反射板４０の面積は、表示画面の大きさに関わらず決定することができる。
【００６８】
（変形例２）
また、本実施の形態では、カメラ５０を２箇所に設置し、一方のカメラの撮像画像を第１画像として表示するとともに、他方のカメラの撮像画像を第２画像として表示する構成としても良い。例えば、一方のカメラによりユーザの正面の姿を撮影し、正面画像を第２画像として表示するとともに、他方のカメラによりユーザの後ろ姿を撮影し、背面画像を第１画像として表示する。これにより、図９に示すように、ユーザは、商品を試着した正面および背面の姿を同時に確認することができる。なお、試着している商品とは異なる商品について、正面および背面の仮想の姿を同時に表示する構成とすることもできる（後述の図１１参照）。
【００６９】
（変形例３）
上記の説明では、ユーザの方向（第１方向）へ直接表示されるユーザの仮想画像（第１画像）は、１つの画像として例示したが、本発明はこれに限定されず、図１０に示すように、複数の仮想画像を分割表示させてもよい。以下、この構成についての処理の流れを説明する。ここでは例えば、ユーザがグレー色のセーターを試着しており、白色のセーターおよび黒色のセーターを試着した２つの仮想画像を同時に表示する場合について説明する。
【００７０】
まず、ユーザは、試着室において、操作部６０を介して商品（白色のセーターおよび黒色のセーター）を指定する。受信処理部７５は、ユーザの指示に基づいて、メモリ部８０から白色のセーターの画像データおよび黒色のセーターの画像データを取得し、２つの画像データを画像合成部７３に転送する。
【００７１】
画像合成部７３は、カメラ５０により撮影されたユーザの撮像データを画像処理部７２から取得するとともに、受信処理部７５から２つの画像データを取得する。画像合成部７３は、撮像データと２つの画像データとに基づいて生成した２つの合成データ（白色のセーターを試着した合成データ、黒色のセーターを試着した合成データ）を生成し、画像生成部７４に転送する。
【００７２】
画像生成部７４は、画像処理部７２から取得した撮像データに基づいて第２画像データを生成し、画像合成部７３から取得した２つの合成データに基づいて第１画像データを生成する。ここで、第１画像データは、上下分割表示に対応しており、上側に白色のセーターを試着した画像が表示され、下側に黒色のセーターを試着した画像が表示されるように生成される。画像生成部７４により生成された第１画像データおよび第２画像データは、表示制御回路に転送される。
【００７３】
上記の処理により、撮像データ（グレー色のセーターを試着した画像データ）が第２画像として、反射板４０に反射されてユーザが位置する第１方向に表示され、２つの画像データ（白色のセーターを試着した画像データ、黒色のセーターを試着した画像データ）が第１画像としてユーザが位置する第１方向に上下分割表示される。これにより、ユーザは、実際に試着している姿の画像と、２通りの仮想の姿の画像とを同時に確認することができる。なお、第２画像の分割表示は、上下分割表示に限定されず、左右に分割表示してもよい。また、分割数は、３つ以上であってもよい。
【００７４】
（変形例４）
上記の説明では、試着したユーザの撮像データを第１画像あるいは第２画像として表示する場合を例に挙げているが、本発明はこれに限定されず、ユーザは試着をすることなく、所望の商品を指定するだけで、複数の仮想画像が表示される構成としてもよい。具体的には、ユーザの実際の姿の撮像画像と、ユーザが選択した複数の商品の画像とに基づいて、複数の合成データを生成し、これらを第１画像および第２画像として同時に表示させることができる。例えば、図１１に示すように、グレーのシャツ（ユーザが所有するシャツ）を着たユーザに対して、白色のセーターを着た仮想画像を第１画像として表示するとともに、黒色のセーターを着た仮想画像を第２画像として表示する。これにより、ユーザの試着する手間を完全に省くことができる。
【００７５】
（変形例５）
ここで、ユーザの購買意欲を高めるために、ユーザが操作部６０により指示することなく、ある商品を試着したユーザに対して、店が勧める関連商品についての仮想の試着画像（加工画像）を自動的に表示させる構成としても良い。図１２は、この構成を実現するためのブロック図である。図１２に示す液晶表示装置２では、図１の液晶表示装置１と比較すると、画像処理部７２および画像合成部７３の構成が異なっている。以下、相違点を中心に説明する。
【００７６】
操作部６０は、カメラ操作部（図示せず）を備えている。ユーザがカメラ操作部の撮影ボタンを押下することにより、ユーザの姿を撮影する。なお、液晶表示装置２では、図１の操作部６０の画像操作部は省略されており、ユーザが商品を選択する動作は行われない。
【００７７】
画像処理部７２（画像処理手段）は、画像取得部７１から転送された撮像データに基づいて、関連する商品の画像データをメモリ部８０から取得する。画像処理部７２は、ユーザが試着している商品（商品情報）を特定する機能も有している。例えば、画像処理部７２は、ユーザが試着している商品が、グレー色のセーターであることを特定する。具体的な特定方法は、画像処理部７２が、全商品のデータ（商品データ）を格納しているメモリ部８０にアクセスして、商品データと撮像データとを比較することにより特定する。また、試着している商品のタグ等のコードを認識することにより商品を特定する方法としても良い。
【００７８】
画像処理部７２は、上記商品情報に基づいて、関連する商品の画像データ（関連データ）をメモリ部８０から取得し、関連データと撮像データとを画像合成部７３に転送する。例えば、ユーザがＭサイズのグレー色のセーターを試着している場合、画像処理部７２は、ユーザの指示を受けることなく、関連商品である、白色、黒色等のＭサイズのセーターの画像データ（関連データ）をメモリ部８０から取得して、画像合成部７３に転送する。
【００７９】
画像合成部７３は、画像処理部７２から取得した関連データと撮像データとに基づいて合成データを生成する。例えば、白色、黒色等のＭサイズのセーターを試着した合成データを生成する。
【００８０】
画像生成部７４（画像生成手段）は、画像処理部７２から取得した撮像データに基づいて第２画像データを生成し、画像合成部７３から取得した合成データに基づいて第１画像データを生成する。ここで、第１画像データは、上下左右の４分割表示に対応しており、４通りの試着画像が表示されるように生成される。画像生成部７４により生成された第１画像データおよび第２画像データは、表示制御回路に転送される。
【００８１】
これにより、ユーザが試着している商品に関連する商品についての仮想の試着画像を、同時に表示させることができる。図１３は、ユーザがＭサイズのグレー色のセーターを試着している場合に、色や柄の違う４通りのセーターを試着した仮想の画像を表示させた場合を示している。また、図１４は、ユーザが黒色のセーターを試着している場合に、このセーターに似合うコートを試着した仮想の画像を表示させた場合を示している。上記の構成によれば、ユーザに対して、実際に試着している画像と、店が勧める商品についての仮想の試着画像とを同時に視認させることができるため、ユーザの購買意欲を高めることができる。
【００８２】
（視野角について）
ここで、ユーザの視認性を向上させるために、視野角を拡大する構成について説明する。本実施の形態に係る液晶表示装置１，２では、視差バリア２０をオフセットすることにより第１方向（または第２方向）の視野角を大きくすることができる。以下ではまず、反射板４０が設けられていない構成を例に挙げて説明する。具体的には、液晶表示装置１，２では、第１方向に表示される第１画像を視認できる第１視認領域と、第２方向に表示される第２画像を視認できる第２視認領域とが、画像表示面（液晶表示装置１，２）に対して左右非対称となるように構成されている。
【００８３】
より詳細には、図１５の（ａ）および（ｂ）に示すように、視差バリア２０の開口部２１の中心線Ｌ１が、第１画像表示領域１０Ｌ（第１画素）および第２画像表示領域１０Ｒ（第２画素）の境界線Ｌ２に対して、第１方向側または第２方向側にずれた状態で、表示パネル１０と視差バリア２０とが重ね合わされている。図１５の（ａ）では、開口部２１の中心線Ｌ１が、境界線Ｌ２に対して第１方向側（紙面左側）にずれている。これにより、第１方向の第１視認領域Ａは、表示パネル１０に対して水平方向側（表示パネル１０に近い方）に位置し、第２方向の第２視認領域Ｂは、表示パネル１０の正面方向側（表示パネル１０から遠い方）に位置する。これに対して、図１５の（ｂ）では、開口部２１の中心線Ｌ１が、境界線Ｌ２に対して第２方向側（紙面右側）にずれているため、第１方向の第１視認領域Ａは、表示パネル１０の正面方向側に位置し、第２方向の第２視認領域Ｂは、表示パネル１０に対して水平方向側に位置する。
【００８４】
図１６には、液晶表示装置１，２全体における視認領域を模式的に示している。図１６の（ａ）は、図１５の（ａ）に対応しており、図１６の（ｂ）は図１５の（ｂ）に対応している。
【００８５】
ここで、境界線Ｌ２に対する開口部２１の中心線Ｌ１のずれ（オフセット）と視認領域との関係についてシミュレーションした結果を図１７および図１８に示す。なお、境界線Ｌ２を基準として紙面左側（第１方向側）を正、紙面右側（第２方向側）を負とする。図１７は、オフセット＝０の状態を示し、図１８の（ａ）は、オフセット＝＋５０ｕｍの状態を示し、図１８の（ｂ）は、オフセット＝＋１００ｕｍの状態を示している。また、図１９の（ａ）は、オフセット＝−５０ｕｍの状態を示し、図１９の（ｂ）は、オフセット＝−１００ｕｍの状態を示している。
【００８６】
オフセット＝０の状態（図１７）では、第１視認領域Ａおよび第２視認領域Ｂが、第１方向および第２方向に対称（左右対称）となるように配置される。これに対して、オフセット＝＋５０ｕｍ、＋１００ｕｍに設定することにより、第１視認領域Ａは液晶表示装置１，２に対して水平方向側に配置され、第２視認領域Ｂは液晶表示装置１，２の正面方向側に配置される（図１８の（ａ）および（ｂ））。また、オフセット＝−５０ｕｍ、−１００ｕｍに設定することにより、第１視認領域Ａは液晶表示装置１，２の正面方向側に配置され、第２視認領域Ｂは液晶表示装置１，２に対して水平方向側に配置される（図１９の（ａ）および（ｂ））。
【００８７】
上記の構成において反射板４０を設けた場合、例えば第１方向の視野角（第１方向から、第１画像および反射画像（第２画像）を同時に視認できる領域）を大きくすることができる。すなわち、液晶表示装置１，２では、例えばオフセット（境界線Ｌ２に対する中心線Ｌ１のずれ）＝−５０ｕｍに設定することにより、第１方向の視野角を、オフセット＝０ｕｍ（境界線Ｌ２と中心線Ｌ１とが一致）の液晶表示装置の第１方向の視野角よりも大きくすることができる。
【００８８】
次に、境界線Ｌ２に対する開口部２１の中心線Ｌ１のずれ（オフセット）と視野角との関係についてシミュレーションした結果を図２０〜図２２に示す。ここでは、反射板４０を表示パネル１０に向かって右側に取り付けた場合の結果を示している。また、観察者は表示パネル１０から１．８ｍ離れた位置にいると仮定し、反射板４０の幅を０．７５ｍに設定した。なお、境界線Ｌ２を基準として左側（第１方向側）を正、右側（第２方向側）を負とする。図２０は、オフセット＝０の状態を示し、図２１の（ａ）は、オフセット＝−５０ｕｍの状態を示し、図２１の（ｂ）は、オフセット＝−７５ｕｍの状態を示し、図２２は、オフセット＝−１００ｕｍの状態を示している。
【００８９】
オフセット＝−５０ｕｍ（図２１の（ａ））、−７５ｕｍ（図２１の（ｂ））では、オフセット＝０ｕｍ（図２０）よりも第１方向の視野角が大きくなるが、オフセット＝−１００ｕｍ（図２２）では、オフセット＝−５０ｕｍ、−７５ｕｍよりも視野角が小さくなることが分かる。なお、反射板４０を表示パネル１０の左側に取り付けた場合は、オフセット＝＋５０ｕｍ、＋７５ｕｍに設定することにより視野角が大きくなる。なお、視野角とオフセット値の関係は、表示パネル１０および画素のサイズ、視差バリア２０の設計値などに応じて変化するため、液晶表示装置１，２の用途に応じてオフセットの値を設定することが好ましい。
【００９０】
上記の構成によれば、第１方向の視野角を拡大することができるため、例えば試着室を利用するユーザに対する視認性を向上させることができる。
【００９１】
なお、本実施の形態では、表示パネル１０からの画像に視野角特性を与える手段（以下、「視野角制御手段」ともいう）として視差バリア２０を備える構成について説明したが、本発明に用いることが可能な視野角制御手段は視差バリアに限定されるものではない。例えば、上記視野角制御手段としては、視野角制御の有効・無効を電気的に相互に切り替え可能な視差バリアを用いていることができる。このような視差バリアを用いれば、視差バリアの効果を有効とする場合は、開口部２１および閉口部２２が交互に並ぶように形成されることにより、デュアルビュー表示を行うことが可能であるとともに、視差バリアの効果を無効とする場合は、開口部２１が表示パネル１０に対して全面に形成されることにより（全透過）、シングルビュー表示を行うことが可能である。すなわち、上記構成によれば、デュアルビュー表示とシングルビュー表示とを相互に切り替えることができる。さらに、第１画像表示領域１０Ｌおよび第２画像表示領域１０Ｒの両方を用いて、１つの画像を表示できるので、表示画面の解像度を上げる効果も得られる。また、視野角制御手段として、レンチキュラー方式を採用してもよい。
【００９２】
以上の説明では、液晶表示装置１，２を店舗の試着室に適用した場合を例に挙げたが、他の適用例としては、美容院や化粧品売り場などが挙げられる。例えば美容院に適用した場合には、本液晶表示装置１，２によれば、顧客の現状のヘアースタイルを撮像と、顧客が指定するヘアースタイルの画像および／または美容院側が提案するヘアースタイルの画像とを、同時に顧客に表示することができる。これにより、顧客および美容院は、完了後のヘアースタイルを確認しながらヘアーカット等を行うことができるため、顧客のイメージと異なるなどの問題が生じ難くなる。
【００９３】
本発明の実施の形態に係る表示装置では、
上記第１画像および上記第２画像のうちの一方は、上記撮像手段により撮像された撮像画像に対応しており、
上記第１画像および上記第２画像のうちの他方は、上記撮像画像の少なくとも一部を加工した加工画像に対応している構成とすることもできる。
【００９４】
上記の構成によれば、例えば、ある商品を試着した姿を撮像した画像と、別の商品を試着した仮想の姿の画像とを同時に視認することができる。
【００９５】
本発明の実施の形態に係る表示装置では、
上記第１画像および上記第２画像のうちの他方は、複数の上記加工画像を含み、
上記複数の加工画像は、互いに異なっている構成とすることもできる。
【００９６】
上記の構成によれば、例えば、第１画像として、複数種類の仮想画像を表示させることができる。
【００９７】
本発明の実施の形態に係る表示装置では、
上記加工画像は、上記撮像画像の一部の色彩が変更されている構成とすることもできる。
【００９８】
上記の構成によれば、例えば、試着している商品とは色違いの商品を表示させることができる。
【００９９】
本発明の実施の形態に係る表示装置では、
上記撮像対象物は、上記第１方向に位置する、当該表示装置のユーザであって、
上記ユーザの実際の姿を撮像した撮像画像を、上記第２画像として、上記反射手段により上記第１方向に表示するとともに、
上記ユーザの撮像画像の一部を加工した加工画像を、上記第１画像として上記第１方向に表示する構成とすることもできる。
【０１００】
本発明の実施の形態に係る表示装置では、上記加工画像は、上記ユーザの指示に応じて加工される構成とすることもできる。
【０１０１】
上記の構成によれば、ユーザの所望の仮想画像（試着画像）を表示させることができる。なお、上記表示装置では、上記加工画像は、店舗のスタッフなど第三者の指示に応じて加工される構成とすることもできる。
【０１０２】
本発明の実施の形態に係る表示装置では、
上記ユーザの指示を受け付ける操作手段と、
上記ユーザの指示に基づいて、上記撮像手段により撮像された撮像画像を加工して上記加工画像を生成する画像生成手段とを備え、
上記撮像画像および上記加工画像を、上記第１画像および上記第２画像として同時に表示させる構成とすることもできる。
【０１０３】
本発明の実施の形態に係る表示装置では、上記加工画像は、上記ユーザの体型を０〜１０％の範囲で補正したものとすることができる。
【０１０４】
本発明の実施の形態に係る表示装置では、上記加工画像は、上記ユーザの背景を加工したものとすることができる。
【０１０５】
本発明の実施の形態に係る表示装置では、
上記加工画像は、上記ユーザの実際の姿を撮像した撮像画像に、他の画像を合成して生成されたものであり、
上記他の画像は、予め当該表示装置のメモリ部に格納されている構成とすることもできる。
【０１０６】
本発明の実施の形態に係る表示装置では、
上記撮像画像に基づいて、上記撮像画像における加工する部分を特定する画像処理手段と、
上記画像処理手段により特定された部分を加工して上記加工画像を生成する画像生成手段とを備え、
上記撮像画像および上記加工画像を、上記第１画像および上記第２画像として同時に表示させる構成とすることもできる。
【０１０７】
上記の構成によれば、ユーザの指示によらず、自動的に第１画像および第２画像を表示させることができる。
【０１０８】
本発明の実施の形態に係る表示装置では、
上記第１画像および上記第２画像は、それぞれ、上記撮像手段により撮像された撮像画像の少なくとも一部を加工した加工画像に対応しているとともに、
上記第１画像および上記第２画像は互いに異なる画像とすることもできる。
【０１０９】
上記の構成によれば、ユーザは試着をすることなく、所望の商品を指定するだけで、複数の仮想画像が表示させることができる。
【０１１０】
本発明の実施の形態に係る表示装置では、上記反射手段は、当該表示装置に回転可能に接続されている構成とすることもできる。
【０１１１】
本発明の実施の形態に係る表示装置では、上記反射部材は、さらに、光を透過する機能を有する構成とすることもできる。
【０１１２】
上記の構成によれば、反射部材を閉じた状態（後述の閉状態）では、異なる方向（第１方向および第２方向）から、異なる画像（第１画像および第２画像）を同時に視認することができる。
【０１１３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１１４】
本発明の表示装置は、店舗の試着室、美容院、化粧品売り場などに好適に用いることができる。
【符号の説明】
【０１１５】
１、２  液晶表示装置（表示装置）
１０    表示パネル
１０Ｌ  第１画像表示領域（第１画素）
１０Ｒ  第２画像表示領域（第２画素）
２０    視差バリア
２１    開口部
２２    閉口部
３０    バックライト
４０    反射板（反射手段）
５０    カメラ（撮像手段）
６０    操作部（操作手段）
７０    画像制御部
７１    画像取得部
７２    画像処理部（画像処理手段）
７３    画像合成部
７４    画像生成部（画像生成手段）
７５    受信処理部
８０    メモリ部
【図１】
2012124612.tif 000003
【図２】
2012124612.tif 000004
【図３】
2012124612.tif 000005
【図４】
2012124612.tif 000006
【図５】
2012124612.tif 000007
【図６】
2012124612.tif 000008
【図７】
2012124612.tif 000009
【図８】
2012124612.tif 000010
【図９】
2012124612.tif 000011
【図１０】
2012124612.tif 000012
【図１１】
2012124612.tif 000013
【図１２】
2012124612.tif 000014
【図１３】
2012124612.tif 000015
【図１４】
2012124612.tif 000016
【図１５】
2012124612.tif 000017
【図１６】
2012124612.tif 000018
【図１７】
2012124612.tif 000019
【図１８】
2012124612.tif 000020
【図１９】
2012124612.tif 000021
【図２０】
2012124612.tif 000022
【図２１】
2012124612.tif 000023
【図２２】
2012124612.tif 000024
【図２３】
2012124612.tif 000025
【図２４】
2012124612.tif 000026
【国際調査報告】
2012124612.tif 000027
2012124612.tif 000028
2012124612.tif 000029
2012124612.tif 000030